【事件の表示】
　平成　５年特許願第３３１４３４号「使い捨ておむつ」拒絶査定不服審判事件〔平成　７年　７月２５日出願公開、特開平　７−１８４９４６号〕について、次のとおり審決する。
【結　論】
　本件審判の請求は、成り立たない。
【理　由】
１．手続の経緯・本願発明
　本願は平成５年１２月２７日の出願であって、その請求項１に係る発明は、特許請求の範囲の請求項１に記載された次のとおりのもの（以下、「本願発明」という。）と認める。
「透液性シートと不透液性シートとの間に吸収体が介在され、紙おむつの両側部に、表面側に突出するバリヤカフスが形成されるとともに、紙おむつの前後端にエンドフラップ部を有する使い捨ておむつにおいて、
　前記バリヤカフスは、撥水処理された不織布からなり、
　使い捨ておむつの前後端の少なくとも一方端側に、腰部バリヤシートが配設され、該腰部バリヤシートは、前記エンドフラップ部と前記吸収体とに跨るとともに、両側の前記バリヤカフス間に跨っており、かつ前記バリヤカフスの起立力を受けて該腰部バリヤシートが起立するように構成され、
　この腰部バリヤシートの起立点は、前記吸収体上に位置し、
　前記腰部バリヤシートは、該腰部バリヤシートの人体腰部に触れる表面側が親水性を有し、その裏面側の前記透液性シート対向面が撥水剤のコーティングにより撥水性を有することを特徴とする使い捨ておむつ。」
　　
２．引用例
　これに対して、原査定の拒絶の理由に引用した、本願出願前に頒布された刊行物である特開平３−１３６６５３号（以下、「引用例」という。）には、第１〜３図とともに、次の事項が記載されている。
ア．「長手方向縁部と端縁部を有する一体的使い捨て吸収性物品において、ガーメント面と身体面とを備えた吸収性コアーと、前記吸収性コアーのガーメント面に接近して配置した液不浸透性バックシートと、前記吸収性コアーの身体面に接近して配置された液浸透性トップシートとを包含し、単一のウエイストキャップとウエイストバンドが前記吸収性物品の少くとも一つの端縁部に接近して配置され、前記単一のウエイストキャップとウエイストバンドが弾性材料を含み、該弾性材料が前記吸収性材料と前記端縁部の近くで作動的に協働して弾力化したウエイストバンドを形成する外側部分と前記外側部分に隣接する内側部分を有し、前記内側部分が中心縁部と末端縁部と端部を有し、前記中心縁部が前記吸収性物品に結合され且つ前記末端縁部が前記中心縁部から内方へ隔置され、前記末端縁部が前記内側部分の端部の近くで前記吸収性物品と作動的に協働し、前記末端縁部の少くとも一部分が前記端部の間で前記吸収性物品の下に重なる部分に固定されず、よって前記末端縁部が前記吸収性物品の液体収容面から隔置されてウエイストキャップを形成するようになった使い捨て吸収性物品。」（特許請求の範囲の請求項１）
イ．「本発明は使い捨ておしめ、失禁用ブリーフ、トレーニングパンツ等のような吸収性物品、特に少くとも１個の単一ウエイストキャップとウエイストバンドを備えた吸収性物品に関する。」（２ページ右上欄１５〜１８行）
ウ．「第１図はバックシート４２が吸収性コアー４４より長さも幅も大きくなったおしめ２０の好適実施例を示す。バックシート４２は吸収性コアー４４の縁部以上に長く、よっておしめ２０の周縁部２８を形作る。前記周縁部２８はおしめ２０の周囲すなわち縁部を形成する。…（中略）…
　第２図は第１図の線２−２における部分断面図であり、おしめ２０のまた部２６の構造を示す。吸収性コアー４４がトップシート３８とバックシート４２の間に配置され、該トップシート３８とバックシート４２が吸収性コアー４４の側縁部より長く伸びて側部フラップ５６を形成している。レッグカフス６０はなるべくバリヤカフス６２と隔離部材７４例えば隔離用弾性部材７６を含んでいる。バリヤカフス６２は例えば接着材のような縁部取付部材９８を備えたおしめの長手方向縁部３０の近くで側方フラップ５６に対し別のバリヤカフス部材の１部分を固定して作る。バリヤカフス６２の第１縁部６４は吸収性コアー４４の、側縁部４６と長手方向縁部３０との間において、前記バリヤカフス部材をトップシート３８に対し縁部取付部材９８例えば接着ビードで結合して第１縁部６４に沿ってシールを作ることによって形成される。第２縁部６６はなるべく第１縁部６４の内部に配置され且つまた部２６に在るおしめ２０の下側エレメントに固定されない。第２図に示すように、第２縁部６６はバリヤカフス部材をそれ自身に折り重ねて、それを取付け部材によってバリヤカフス部材の別のセグメントに固定してトンネルを作ることにより形成される。隔離部材７４例えば弾性隔離部材７６はバリヤカフス部材をそれ自体折り重ねたときできるトンネルの中に収容されており、前記隔離用弾性部材７６は隔離用弾性取付部材１０４によりバリヤカフス６２の中に弾性収縮状態に固定されている。第２端縁部は、このようにして隔離用弾性部材７６の弾力的なよせ集めによって液収容面４０から分離され、かくして溝１０６が少くとも第１縁部６４と第２縁部６６と内面６８によって作られる。…（中略）…
　第３図は第１図の線３−３における断面図であって、おしめ２０の後ウエイスト部２４の構造を示す。（前ウエイスト部２２の構造は後ウエイスト部２４について説明した構成と類似または同一である。）前記吸収性コアー４４はトップシート３８とバックシート４２の間に在り、該トップシート３８とバックシート４２は吸収性コアー４４のウエイスト縁部４８より長くのびてウエイストフラップ５８を形成している。一体的ウエイストキャップ／ウエイストバンド７８はおしめ２０に作動的に協同する単一片の弾力性材料により作られている。外側部分８０は弾力性ウエイストバンドを形成するように接着材のような腰バンド固定装置９４により、おしめ２０の端縁部３２の近くで弾力性収縮状態にウエイストフラップ５８と作動的に協働する。内側部分８２は外側部分８０に隣接し且つ中心縁部８４と末端縁部８６を有する。」（４ページ左上欄３行〜右下欄１３行）
エ．「第１図においてバリヤカフス６２の第２縁部６６と一体的ウエイストキャップ／ウエイストバンド７８の内側部分８２の末端縁部８６とはなるべく少くとも４点すなわちコーナポイント１１０で重なる。前記縁部はポイントのみで重なるように配置されているが、この縁部は各交さ域において線に沿って、なるべくは２本の線（第１図に示す）に沿って重なり、バリヤカフス６２と一体的ウエイストキャップ／ウエイストバンド７８がおしめ２０の隅部の近くで重なる。前記末端縁部８６は末端取付部材１１２によってコーナポイント１１０の近くで第２縁部６６に固定され、一体的ウエイストキャップ／ウエイストバンド７８の内側部分８２とバリヤカフス６２の運動を統合してそれらが使用中にあべこべになるのを防止する。このようにして本実施例では重なり合うバリヤカフス６２と一体的ウエイストキャップ／ウエイストバンド７８がおしめ２０の周縁２８のまわりに収容ポケットを作り出す。」（５ページ左上欄１２行〜右上欄１０行）
オ．「バリヤカフス６２を作るために沢山の技術を使用する。例えば、バリヤカフス６２を織成したもの、非織成としたもの、スパンボンディッドしたもの、くしけずったもの等である。」（７ページ右下欄１５〜１９行）
カ．「バリヤカフス６２はなるべくハイドロホビック並びに液体不浸透性にして、身体の浸出物が貫通流動するのを防止できるようにする。液不浸透性バリヤカフス６２はそれを貫通する液体の流れを減退させ、かくしてその耐漏洩性を強める。バリヤカフス６２は当業者に公知の方法で液不浸透性にしても良い。例えば選択的にバリヤカフス６２を処理するかまたは処理せずに、別の材料をバリヤカフス６２に固定することにより、または固有の液不浸透性材料をバリヤカフス６２用に選択して不浸透性にしても良い。」（８ページ左下欄８〜１８行）
キ．「単一ウエイストキャップ／ウエイストバンド７８はなるべく弾性フィルムとカバーストック層からなる弾性フィルムラミネート、特に第１カバーストック層と第２カバーストック層とこれら両者間に入れた弾性フィルムのラミネートから作る。前述の三つの材料は当業者に公知の方法でラミネートされて、少くとも一方向に延伸でき且つやわらかく着用者の皮膚に適したウエイストキャップ／ウエイストバンド材料を提供する。
　前記カバーストック層は着用者の皮膚に対し快適で柔らかい感じがして、刺激のない柔軟で可撓性のある材料ウエブを提供し、その結果単一ウエイストキャップ／ウエイストバンド７８を着用者の皮膚に接触しておくことができる。前記カバーストック層は広範囲の材料例えば発泡材、孔あきプラスチックフィルム、天然繊維（例えば木や、綿の繊維）、合成繊維（例えばポリエステルやポリプロピレン繊維）から作り、また天然と合成の繊維の結合物から作る。また、カバーストック層を作るために多くの製造法が存在するが、例えばカバーストック層を織成するか又は非織成にする。」（１１ページ左下欄１０行〜右下欄１０行）
　
　そして、第２図には、バリヤカフス６２の第２縁部６６がおしめの表面部分となる液浸透性トップシート３８から離れるように突出した様子が、第３図には、ウエイストキャップ／ウエイストバンド７８の外側部分８０が、フラップ５８に取付けられ、末端縁部８６が吸収性コアー４４の上方を覆うように表面側に突出した様子が図示されている。
　また、第１図には、ウエイストキャップ／ウエイストバンド７８が、おしめ２０の両側に設けたバリヤカフス６２の長手方向両端部において、それぞれ、バリヤカフス６２の第２縁部６６の間に跨ってバリヤカフス６２の上に配置された様子が図示されている。
　
　上記記載事項ア〜キ及び図示内容から、引用例には次の発明（以下、「引用発明」という。）が記載されていると認められる。
「液浸透性トップシート３８と、液不浸透性バックシート４２との間に吸収性コアー４４を配置し、トップシート３８とバックシート４２は吸収性コアー４４の側縁部より長く伸びて側部フラップ５６を、吸収性コアー４４のウエイスト縁部４８より長くのびてウエイストフラップ５８をそれぞれ形成しており、バリヤカフス６２は非織成のものを液不浸透性に処理しており、その第１縁部６４により、おしめ２０の両側の側部フラップ５６に取付けられ、その第２縁部６６は、隔離用弾性部材７６の弾力的なよせ集めによって液浸透性トップシート３８の表面から離れるように突出しており、該バリヤカフス６２の長手方向両端部において、バリヤカフス６２の間に跨ってその外側部分８０がウエイストフラップ５８に取付けられ、末端縁部８６が吸収性コアー４４の上方を覆うように表面側に突出し、バリヤカフス６２の第２縁部６６と交差域において固定される、着用者の皮膚に接触する側が綿の繊維で作られた、ウエイストキャップ／ウエイストバンド７８を備えてなる使い捨ておしめ。」
　
３．対比・判断
　本願発明と引用発明とを対比すると、後者の「液浸透性トップシート３８」、「液不浸透性バックシート４２」、「吸収性コアー４４」、「ウエイストフラップ５８」、「バリヤカフス６２」、「ウエイストキャップ／ウエイストバンド７８」、「使い捨ておしめ」は、その機能ないし構造からみて、それぞれ、前者の「透液性シート」、「不透液性シート」、「吸収体」、「エンドフラップ部」、「バリヤカフス」、「腰部バリヤシート」、「使い捨ておむつ」に相当する。
　そして、引用発明の「隔離用弾性部材７６」は、バリヤカフス６２の第２縁部を液浸透性トップシート３８の表面から離れるよう付勢するものであるから、バリヤカフス６２には起立力が付与され、それが、ウエイストキャップ／ウエイストバンド７８も起立させることは明らかである。
　また、後者の「非織成の」バリヤカフスは、「不織布」と認められ、両者の「バリヤカフス」は、「液不浸透性」に処理している点で共通しており、後者の「ウエイストキャップ／ウエイストバンド７８」の着用者の皮膚に接触する側の「綿の繊維」は親水性を有しており、人体腰部に接することは明らかである。
　更に、使い捨てのおむつは、すべてが紙でできていなくても「紙おむつ」と称するのが通例であるから、両者は、
「透液性シートと不透液性シートとの間に吸収体が介在され、紙おむつの両側部に、表面側に突出するバリヤカフスが形成されるとともに、紙おむつの前後端にエンドフラップ部を有する使い捨ておむつにおいて、
　前記バリヤカフスは、液不浸透性に処理された不織布からなり、
　使い捨ておむつの前後端の少なくとも一方端側に、腰部バリヤシートが配設され、該腰部バリヤシートは、前記エンドフラップ部と前記吸収体とに跨るとともに、両側の前記バリヤカフス間に跨っており、かつ前記バリヤカフスの起立力を受けて該腰部バリヤシートが起立するように構成され、また、人体腰部に触れる表面側が親水性を有する使い捨ておむつ。」である点で一致しており、次の点で相違する。
　相違点１：「液不浸透性に処理」されるのが、本願発明においては、「撥水処理」であるのに対し、引用発明では、どのような処理を行うのか明らかでない点。
　相違点２：「腰部バリヤシートの起立点」が、本願発明においては、「吸収体上に位置」しているのに対し、引用発明においては、吸収体より外側の「ウエイストフラップ５８」上に位置している点。
　相違点３：「腰部バリヤシート」が、本願発明においては、「人体腰部に触れる表面側が親水性を有し、その裏面側の前記透液性シート対向面が撥水剤のコーティングにより撥水性を有する」のに対し、引用発明においては、「人体腰部に触れる表面側が親水性を有」するものの、裏面側がどのようになっているか明らかでない点。
　
　まず、相違点１について検討すると、透液性シートを液不浸透性とするのに、シリコーン系材料などにより撥水処理することは、周知の技術手段であるから、バリヤカフスを撥水処理された不織布とすることは当業者が容易に想到し得るものである。
　相違点２について検討すると、バリヤとなる部材であるバリヤカフスの起立点を吸収体上に位置させる技術手段は、例えば、特開平２−１２６８５０号公報の３ページ右上欄８〜１０行における「第４図は、フラップＦからバリヤーカフス１０を立て上げるのではなく、吸収体３が存在する位置において起立させた例である」の記載、特開平２−１４２５６４号公報における、バリヤカフスＢ１、Ｂ１の起立点が吸収体３の上に位置していることを示す第８図等により周知である。
　そして、バリヤカフスと同様の機能を果たす、腰部バリヤシートの起立点について、バリヤカフスと同様に吸収体３の上に位置させることも当業者が容易に想到し得るものである。
　相違点３について検討すると、腰部バリヤシートを全体として液不浸透性としなくてはならないのは当然のことであり、バリヤカフスを撥水処理して液不浸透性とすることが周知の技術手段である以上、腰部バリヤシートを同様に撥水処理して液不浸透性とすることは当業者が容易に想到し得ることであり、その際に、どの面に撥水処理を行うかは適宜選択し得る設計事項に過ぎないから、相違点３に係る構成とすることは当業者が容易に想到し得るものである。
　また、上記相違点１ないし３に係る構成を総合して判断しても、それによる効果は当業者が予測し得る範囲のものであって格別のものとはいえない。
　
４．むすび
　したがって、本願発明は、引用発明及び周知の技術手段に基づいて当業者が容易に発明をすることができたものであり、特許法第２９条第２項の規定により特許を受けることができない。
　よって、結論のとおり審決する。